(57)【特許請求の範囲】
【請求項１】
筺体内に横向き状態で設けられ、通気性を有するドラム内に布団類を投入し、
ドラムの回転を停止した状態で、ドラムの下方に設けた蒸気噴出釜を上昇させてその上部をドラムの外周面に当接し、蒸気噴出釜の上部に設けられた蒸気噴出口から蒸気を噴出してドラム内の布団類を蒸し、
その後に、蒸気噴出釜を下降してドラムから離隔し、この状態でドラムを回転しながらドラム内に熱風を供給してドラム内の布団類を乾燥し、
布団類に働く遠心力が布団類の自重よりも小となる速度でドラムを回転して、上昇した布団類を自重で落下させて布団類に叩き動作を与えて布団類を復元することを特徴とする布団類の再生方法。
【請求項２】
筺体内に横向き状態で設けられ、通気性を有するドラム内に布団類を投入し、
ドラムの回転を停止した状態で、ドラムの下方に設けた蒸気噴出釜を上昇させてその上部をドラムの外周面に当接し、蒸気噴出釜の上部に設けられた蒸気噴出口から蒸気を噴出してドラム内の布団類を蒸し、
その後に、蒸気噴出釜を下降してドラムから離隔し、この状態で、布団類に働く遠心力が布団類の自重よりも大となる速度でドラムを回転し、ドラムと一体的に布団類を回転しながらドラム内に熱風を供給してドラム内の布団類を乾燥し、
次に、布団類に働く遠心力が布団類の自重よりも小となる速度でドラムを回転しながらドラム内に熱風を供給し、上昇した布団類を自重で落下させて布団類に叩き動作を与えて布団類を復元することを特徴とする布団類の再生方法。
【請求項３】
布団類を蒸す間における筺体内からの強制排気量を、熱風を筺体内に供給する間における筺体内からの強制排気量よりも少なくしたことを特徴とする請求項１または２に記載の布団類の再生方法。
【請求項４】
熱風を筺体内に供給する間におけるドラムの回転を間欠回転として、布団類のドラムに対する位置を変えることを特徴とする請求項１から３のいずれかに記載の布団類の再生方法。
【請求項５】
布団類投入部を有する筺体と、
この筺体内に形成した処理室内に横向き状態で回転自在に設けられ、通気性を有し、上記布団類投入部から投入された布団類を収納するドラムと、
このドラムを回転する回転駆動機構と、
処理室内に熱風を供給する熱風供給機構と、
を備えた布団類再生装置において、
ドラムの外周面に下方から臨ませた状態で設けられ、駆動源の駆動によってドラム外周面から離隔した状態と、ドラム外周面に当接した状態とに変換可能であって、上部に蒸気噴出口を設けた蒸気噴出釜を設け、
ドラムの回転を停止し、蒸気噴出釜の上部をドラムの外周面に当接した状態で蒸気噴出口から蒸気を噴出してドラム内に蒸気を供給することを特徴とする布団類の再生装置。
【請求項６】
ドラムの外周面の曲率に対応した曲率で蒸気噴出釜の上部の面を凹曲面としたことを特徴とする請求項５に記載の布団類の再生装置。
【請求項７】
蒸気噴出口群を取り囲む状態で蒸気噴出釜の上部にパッキン材を設け、蒸気噴出口から噴出した蒸気がドラム内に直接供給されるようにしたことを特徴とする請求項５または６に記載の布団類の再生装置。
【請求項８】
蒸気噴出釜の上部に熱風噴出口を開口し、この熱風噴出口から噴出される熱風により蒸気噴出釜を加熱することを特徴とする請求項５から７のいずれかに記載の布団類の再生装置。
【請求項９】
蒸気噴出釜の下方に仕切り板を設けるとともに、この仕切り板を傾斜させて、傾斜下端にドレン受部を設け、該ドレン受部にドレンを集合させて排出するようにしたことを特徴とする請求項５から８のいずれかに記載の布団類の再生装置。
【請求項１０】
筺体の処理室に殺菌灯を設け、この殺菌灯による紫外線照射により布団類を滅菌することを特徴とする請求項５から９のいずれかに記載の布団類の再生装置。
【発明の詳細な説明】
【０００１】
【発明の属する技術分野】
本発明は、布団や毛布等の汚れを除去し、乾燥し、嵩高な状態に復元する布団類の再生方法およびその装置に関するものである。
【０００２】
【従来の技術】
従来の布団類の再生方法およびその装置としては、本願出願人が特開平２−２３９８９４号公報で提案したように、外胴内に横倒し状態で設けたドラム内に布団類を投入し、遠心力によって布団類がドラム内面に張り付くようにしてドラムを回転し、この状態で外胴内に蒸気を供給して布団類を蒸し、次に、ドラムの回転しながら外胴内に熱風を供給することにより布団類を乾燥するとともに、ドラムの回転速度を低下させて布団類に叩き動作を与えて復元する再生方法および装置がある。
【０００３】
【発明が解決しようとする課題】
しかしながら、従来の再生装置は、供給した蒸気の一部分が布団類の内部に入り込むだけであったので、供給蒸気の有効利用率が高くはなかった。また、蒸気噴出口が冷え易いので、ドレン（水滴）が発生し易かった。
【０００４】
そこで本発明は、供給蒸気の有効利用率を高めることができ、蒸気噴出口近傍におけるドレンの発生を抑制することができる布団類の再生方向およびその装置を提供しようとするものである。
【０００５】
【課題を解決するための手段】
本発明は上記目的を達成するために提案されたもので、請求項１に記載の再生方法は、筺体内に横向き状態で設けられ、通気性を有するドラム内に布団類を投入し、
ドラムの回転を停止した状態で、ドラムの下方に設けた蒸気噴出釜を上昇させてその上部をドラムの外周面に当接し、蒸気噴出釜の上部に設けられた蒸気噴出口から蒸気を噴出してドラム内の布団類を蒸し、
その後に、蒸気噴出釜を下降してドラムから離隔し、この状態でドラムを回転しながらドラム内に熱風を供給してドラム内の布団類を乾燥し、
布団類に働く遠心力が布団類の自重よりも小となる速度でドラムを回転して、上昇した布団類を自重で落下させて布団類に叩き動作を与えて布団類を復元することを特徴とする布団類の再生方法である。
【０００６】
請求項２に記載の再生方法は、筺体内に横向き状態で設けられ、通気性を有するドラム内に布団類を投入し、
ドラムの回転を停止した状態で、ドラムの下方に設けた蒸気噴出釜を上昇させてその上部をドラムの外周面に当接し、蒸気噴出釜の上部に設けられた蒸気噴出口から蒸気を噴出してドラム内の布団類を蒸し、
その後に、蒸気噴出釜を下降してドラムから離隔し、この状態で、布団類に働く遠心力が布団類の自重よりも大となる速度でドラムを回転し、ドラムと一体的に布団類を回転しながらドラム内に熱風を供給してドラム内の布団類を乾燥し、
次に、布団類に働く遠心力が布団類の自重よりも小となる速度でドラムを回転しながらドラム内に熱風を供給し、上昇した布団類を自重で落下させて布団類に叩き動作を与えて布団類を復元することを特徴とする布団類の再生方法である。
【０００７】
請求項３に記載の再生方法は、布団類を蒸す間における筺体内からの強制排気量を、熱風を筺体内に供給する間における筺体内からの強制排気量よりも少なくしたことを特徴とする請求項１または２に記載の布団類の再生方法である。
【０００８】
請求項４に記載の再生方法は、熱風を筺体内に供給する間におけるドラムの回転を間欠回転として、布団類のドラムに対する位置を変えることを特徴とする請求項１から３のいずれかに記載の布団類の再生方法である。
【０００９】
請求項５に記載のものは、布団類投入部を有する筺体と、
この筺体内に形成した処理室内に横向き状態で回転自在に設けられ、通気性を有し、上記布団類投入部から投入された布団類を収納するドラムと、
このドラムを回転する回転駆動機構と、
ドラム内に熱風を供給する熱風供給機構と、
を備えた布団類再生装置において、
ドラムの外周面に下方から臨ませた状態で設けられ、駆動源の駆動によってドラム外周面から離隔した状態と、ドラム外周面に当接した状態とに変換可能であって、上部に蒸気噴出口を設けた蒸気噴出釜を設け、
ドラムの回転を停止し、蒸気噴出釜の上部をドラムの外周面に当接した状態で蒸気噴出口から蒸気を噴出してドラム内に蒸気を供給することを特徴とする布団類の再生装置である。
【００１０】
請求項６に記載のものは、請求項５の構成に加えて、ドラムの外周面の曲率に対応した曲率で蒸気噴出釜の上部の面を凹曲面としたことを特徴とする布団類の再生装置である。
【００１１】
請求項７に記載のものは、蒸気噴出口群を取り囲む状態で蒸気噴出釜の上部にパッキン材を設け、蒸気噴出口から噴出した蒸気がドラム内に直接供給されるようにしたことを特徴とする請求項５または６に記載の布団類の再生装置である。
【００１２】
請求項８に記載のものは、蒸気噴出釜の上部に熱風噴出口を開口し、この熱風噴出口から噴出される熱風により蒸気噴出釜を加熱することを特徴とする請求項５から７のいずれかに記載の布団類の再生装置である。
【００１３】
請求項９に記載のものは、蒸気噴出釜の下方に仕切り板を設けるとともに、この仕切り板を傾斜させて、傾斜下端にドレン受部を設け、該ドレン受部にドレンを集合させて排出するようにしたことを特徴とする請求項５から８のいずれかに記載の布団類の再生装置である。
【００１４】
請求項１０に記載のものは、筺体の処理室に殺菌灯を設け、この殺菌灯による紫外線照射により布団類を滅菌することを特徴とする請求項５から９のいずれかに記載の布団類の再生装置である。
【００１５】
【発明の実施の形態】
以下、本発明の実施の形態を図面に基づいて説明する。
図１は布団等の再生装置１の斜視図、図２は扉２を開いた状態の正面図、図３は前後方向に切断した再生装置１の断面図、図４は幅方向に切断した装置の断面図である。
【００１６】
この再生装置１は、密閉可能な略直方体形の筺体３の内部に横向き状態でドラム４を回転自在に設け、ドラム４の外周面に下方から臨ませた状態で蒸気噴出釜５を設けてある。
【００１７】
筺体３は、前面に布団類投入部として、ドラム４の内径よりも僅かに小径の円形の投入口６を開設し、この投入口６を開閉する扉２を設けてある。本実施形態における扉２は、ほぼ正方形であり、中央部分には丸い窓７を設け、左右の支持部材９を介して上下方向に移動するスライドドアである。
このため、図５に示すように、筺体３の正面の左右にスライドレール１０，１０を縦方向に設け、このスライドレール１０に沿って移動するスダイダにスライドレールブラケット１１を取り付け、このスライドレールブラケット１１に対して前記支持部材９をボルト１２を介して取り付けるとともに、該ボルト１２に扉２を手前側に付勢するコイルスプリング１３を嵌装し、筺体３側から延設したブラケット１４に扉閉止用エアシリンダ１５を固定する。また、筺体３の左右下部に昇降用のエアシリンダ１６を上向きに設け、各エアシリンダ１６のロッドの先端を前記支持部材９に固定する。なお、上記エアシリンダ１５，１６やスライドレール１０を覆い隠す縦長なカバー１７を設け、また、扉２の筺体３側には気密性を高めるためのパッキン材１８を設ける。
【００１８】
この様な構成の扉２は、扉閉止用エアシリンダ１５が作動しない常態においては、図５中実線で示すように、扉２はスプリング１３の付勢により筺体３の前面から離隔しており、この状態で昇降用エアシリンダ１６の作動により上下動する。即ち、昇降用エアシリンダ１６を作動すると、ロッドの伸長により支持部材９が上昇し、これに伴って扉２が上昇して筺体３の投入口６を開放する（図２）。また、昇降用エアシリンダ１６を作動してロッドを縮小すると、扉２が投入口６と同様の高さまで下降し、この下降状態で扉閉止用エアシリンダ１５を作動すると、ロッドが伸びて支持部材９のピン状当接部１９を押圧するので、扉２がスプリング１３の付勢に抗して前進して投入口６を閉じる。そして、扉閉止用エアシリンダ１５の作動を停止すると、スプリング１３の付勢により扉２が後退し、上昇可能な状態に戻る。
【００１９】
ドラム４は、軸心を横倒した円筒形で、手前側の円形端板２１ａの中心に開口部２２を有し、奥側の円形端板２１ｂの中心に支軸２３を外方に突出する状態で有し、両端板２１ａ，２１ｂを繋ぐ周面板に無数の通気孔２４…を開設することにより通気性をもたせ、上記開口部２２が筺体３の投入口６に連通するようにしてある。そして、筺体３の背面とその後方のブラケットに設けた両軸受２５により上記支軸２３を支え、支軸２３の先端に設けたプーリー２６とモータ２７の出力軸に設けたプーリー２８との間にベルト２９を掛け、モータ２７の作動によりドラム４を回転する。なお、モータ２７，プーリー２６，２８等の回転駆動機構は、上記したモータやベルト等に限定されるものではなく、ドラム４を回転することができればどのような構成でもよい。また、本実施形態におけるドラム４は、片持ちであるが、ドラム４の前端或は途中を支持してもよい。
【００２０】
次に、蒸気噴出釜５について説明する。
この蒸気噴出釜５は、ドラム４の前後長さとほぼ同様の前後長さとドラム４の円周のほぼ３分の１を覆い得る幅を有し、ドラム４の外周面の曲率に対応した曲率で上部の面を凹曲面とした中空な略四角形の厚板状であり、円弧状上面の最下部分近傍に熱風供給口３０が４箇所開設され、また、熱風供給口３０を除く上面の全域に小さな蒸気噴出口３１…が開設され、上面が開放した箱状の蒸気釜受け部材３２上に取り付けられており、この蒸気釜受け部材３２の側面に駆動源として設けたエアシリンダ３３の駆動により上昇してドラム４の外周面に当接した状態と、下降してドラム４外周面から離隔した状態とに変換可能である。なお、蒸気釜受け部材３２は、内部が中空であり、この中空部が熱風の流路として機能し、筺体３の背面の下部に配設してあるヒーター３４からの熱風を上記中空部内を通して後述する熱風供給口３０から筺体３の内部に供給する。したがって、本実施形態においては、上記したヒーター３４，蒸気釜受け部材３２内の流路，蒸気噴出釜５の熱風供給口３０などが熱風供給機構を構成している。
【００２１】
熱風供給口３０を開設するには、間隔を空けてほぼ平行に延在する上面板３０ａと下面板３０ｂとに長方形の開口を穿設するとともに、両板３０ａ，３０ｂに開設した開口の開口縁を流路板３０ｃにより接続して上面板３０ａと下面板３０ｂとの間に形成した蒸気室３５と区画する。そして、上記開口の外側の上面板３０ａに小孔を蒸気噴出口３１…として無数に穿設し、上面板３０ａと下面板３０ｂの周囲を端面板３０ｄにより接続して、熱風供給口３０を除いた内部を薄い箱状の蒸気室３５とし、この蒸気室３５を構成する下面板３０ｂには蒸気供給管３６を接続して蒸気室３５と連通させるとともに、この接続口の蒸気室３５側には断面コ字状のバッフル３７を溶接等により固定する。
【００２２】
この様に構成すると、蒸気供給管３６から接続口で供給された蒸気が直接上面板３０ａや蒸気噴出口３１…に当らずにバッフル３７の側方から蒸気室３５内に供給されて、いずれの蒸気噴出口３１…からもほぼ均一に蒸気が噴出する。また、蒸気噴出口３１…から噴出した蒸気が直接ドラム４内に供給されるように、蒸気噴出口３１…群を取り囲む状態で蒸気噴出釜５の上部にパッキン材４０を設ける。本実施例では、蒸気噴出釜５の周囲の全長に亙ってフエルト製のパッキン材４０を蒸気噴出口３１…よりも上方に突出する状態で壁状に取り付けてある。
【００２３】
また、蒸気噴出釜５の凹形下面板３０ｂの最も低い位置にドレン口４１を開口し、このドレン口４１にドレン管４２を接続し、ドラム４から蒸気噴出釜５の上面に垂れ落ちたドレンを蒸気ドレン口４１からドレン管４２を介して排出するように構成する。
【００２４】
上記した蒸気噴出釜５は、蒸気釜受け部材３２よりも左右の幅が遥かに大きいので、この左右部分が蒸気釜受け部材３２から左右に突出している。本実施形態においては、左右に突出した蒸気噴出釜５の下方に仕切り板４３を後方に向けて下り傾斜した状態で設けることにより、ドラム４や蒸気噴出釜５を設けた処理室４４と蒸気釜受け部材３２の基部を収めた空部４５とを区画し、この仕切り板４３の傾斜下端にドレン受部４６を設ける。
【００２５】
したがって、仕切り板４３上に垂れ落ちたドレンは、仕切り板４３上を傾斜にしたがって後方に向けて流れてドレン受部４６に集合する。そして、ドレン受部４６に集合したドレンは、ドレン排出管を介して後端から装置の外部に排出される。
なお、仕切り板４３には、蒸気釜受け部材３２の基部が貫通する開口部４７を開設してあり、この開口部の開口内縁と蒸気釜受け部材３２の基部表面との間には摺動シール材を設けることが望ましい。
【００２６】
次に、筺体３内に供給された蒸気や熱風の排気系について説明する。
本実施形態においては、筺体３の上部にシロッコファン式の送風機５０を設け、この送風機５０の吸気側通気路５１をリントフィルタ５２を介して筺体３内に連通させ、送風機５０の排気側口５３にダクト（図示せず）を接続して屋外に排気できるように構成してある。即ち、筺体３の内部を前面板、背面板、左右の側板、前記仕切り板４３の他に、ドラム４の上半の一方の片半をドラム４の曲面に沿って覆う曲面天井５４ａ、およびドラム４の上半の他方の片半に上方から臨ませて設けた段差天井５４ｂとにより閉塞乃至密閉可能な処理室４４を形成し、この処理室４４内に前記ドラム４や蒸気噴出釜５を配置し、上記した段差天井５４ｂに開設した排気口５５に連通させて吸気側通気路５１を形成し、この吸気側通気路５１の途中にリントフィルタ５２を設け、リントフィルタ５２の出口側に送風機５０の吸気口を連通させ、送風機５０の上面に開口した排気側口５３にダクトを接続するように構成してある。
【００２７】
したがって、送風機５０を作動させると吸気口側（吸気側通気路５１）に負圧が発生し、これによりドラム４を設けてある処理室４４内の空気は、段差天井の排気口５５から吸い出されて吸気側通気路５１に流入し、途中でリントフィルタ５２によって濾過（糸屑や綿屑の除去）が行なわれ、濾過された空気は送風機５０内を通って排気側口５３からダクトを通って屋外に排気される。また、この様にして処理室４４内の空気が排気されると、ヒーター３４を通過して熱せられた高温（約１４０°Ｃ）の熱風が入口５６から蒸気釜受け部材３２の内部に吸引され、ここから蒸気噴出釜５の熱風供給口３０を通って処理室４４内に吸引され、この経路の途中に設けた弁（図示せず）を閉じれば熱風の処理室４４内への供給が停止される。
【００２８】
なお、本実施形態における布団類再生装置１はコインランドリー等に設置され、使用者がコイン（硬貨や紙幣などの通貨）を投入して使用するものである。したがって、図２に示すように、筺体３の右側面に設けた制御ボックス６０の前面にコイン投入口６１を設け、このコイン投入口６１の裏側に検銭機（図示せず）を設けてある。また、紙幣挿入口を設けて千円札等の紙幣も使用できるようにしてもよい。
【００２９】
上記した検銭機は制御ボックス６０内の電気的制御装置（図示せず）と接続され、投入されたコインが適正であって、所定の金額に達するまでは始動しないように構成されている。そして、この電気的制御装置には制御ボックス６０の前面に設けてあるスタートスイッチ６２、モード切換スイッチ６３、非常停止スイッチ６４、筺体３の前面に設けた工程表示器６５、ドラム回転用のモータ２７、送風機５０のモータ、蒸気供給管３６の途中に設けてある開閉弁、扉閉止用エアシリンダ１５や昇降用エアシリンダ１６への圧縮空気の供給を制御する各ソレノイドバルブ等が接続されており、本装置の作動をすべて電気的制御装置が制御する。
【００３０】
次に、上記した構成からなる布団類再生装置１の作用および再生方法について説明する。
まず、再生装置１の電源を投入すると、電気的制御装置が昇降用エアシリンダ１６の開閉弁を作動して扉２を上昇させ、投入口６を開放する。この状態で使用者の操作を待つ。
【００３１】
使用者が開放されている投入口６から布団類Ａをドラム４内に入れ、モード切換スイッチ６３を操作して投入した布団類Ａに応じたモード、即ち材質に合わせたモードを選択する。次に、コイン投入口６１に投入されたコインが所定の金額に達すると、スタートスイッチ６２が有効となり、使用者がこの状態でスタートスイッチ６２をオン操作すると、電気的制御装置が昇降用エアシリンダ１６の開閉弁を作動して扉２を下降させ、所定の位置まで下降すると扉閉止用エアシリンダ１５の開閉弁を作動させて扉２を前進させ、これにより投入口６を閉じる。なお、扉閉止用エアシリンダ１５は、後述する復元工程が終了するまでの間継続して扉２を押圧し続け、投入口６の閉止状態を維持する。
【００３２】
この様な準備工程が終了すると、次のスチーム工程に移行する。
スチーム工程では先ず、電気的制御装置が蒸気噴出釜用エアシリンダ３３の開閉弁を作動して蒸気噴出釜５を上昇させてドラム４の下面に当接するとともに、送風機５０をスチーム工程用モードで始動して筺体３内の空気を排出し始める。なお、このスチーム工程ではドラム４は停止したままである。
【００３３】
次に、蒸気供給管３６の開閉弁を開いて蒸気噴出釜５の各蒸気噴出口３１…から高温で高圧の蒸気（約１４０°Ｃ、５kg／cm2〜７kg／cm2）を噴出させる。噴出した蒸気は、蒸気噴出口群の周りがパッキン材４０で封止されているので、他に逃げることなくドラム４の通気孔２４…を通ってドラム４内に供給され、布団類Ａを下側から上側へ通過する。この蒸気が布団類Ａを通過することにより、蒸気が有する高熱により滅菌したりダニを殺すことができ、また、布団類Ａの表面ばかりでなく内部の汚れも噴出蒸気の流れによって分離、除去し、綿等を浄化することができる。
【００３４】
さらに、本実施形態においては、筺体３の天井部分に凹室を設けるとともに、この凹室内に殺菌灯６６を取り付け、凹室の開口部にはガラスを嵌めて密閉し、この殺菌灯６６を運転中は点灯し続けて布団類Ａを紫外線滅菌する。
【００３５】
このスチーム工程中は、送風機５０が作動してドラム４内は勿論のこと筺体３内の排気を行っているので、蒸気噴出口３１…から噴出した蒸気が冷えてドレンになって布団類Ａを濡らすことを防止することができる。そして、スチーム工程中における送風機５０による強制排気量は、後述する乾燥工程や復元工程における強制排気量に比較して少なく設定（送風機５０のファンの回転数を少なくセット）してあるので、ドラム４内には適量の蒸気が充満して、布団類Ａを適度に蒸すことができる。また、排気経路の途中にはフィルタ５２を設けてあるので、布団類Ａから出た汚れや綿屑等は上記フィルタ５２により濾過され、排気口から屋外に排出される排気中に残らない。
【００３６】
この様なスチーム工程は、電気的制御装置内のタイマが予め設定してある所定時間が経過した時点で終了する。即ち、所定時間が経過したならば蒸気供給管３６の弁を閉じて、蒸気の噴出を停止するとともに、蒸気噴出釜５を下降して上面をドラム４の外周面から離隔した状態に復帰させる。上記した所定時間は、一般的な布団であれば約１分間である。
【００３７】
スチーム工程が終了したならば、電気的制御装置の制御の下で次の乾燥工程に移行する。
乾燥工程ではヒーター３４を作動するとともに送風機５０の強制排気量をスチーム工程の場合よりも高めて作動する。また、モータ２７を始動してドラム４を回転する。ドラム４の回転数は、遠心力（１．５〜２．２Ｇ）により布団類Ａがドラム４の内面に貼りついてドラム４と共に回転する値に設定してあり、本実施形態では毎分５２．５回転（１．６８Ｇ）に設定してある。
【００３８】
ドラム４を上記した回転速度で回転しながら送風機５０を作動すると、ヒーター３４で発生した熱風が蒸気釜受け部材３２内の流路を通って蒸気噴出釜５の熱風供給口３０から筺体３内に供給される。なお、この乾燥工程では、蒸気噴出釜５が下降した状態を維持しているので、蒸気噴出釜５の上面とドラム４の外周面との間には十分な隙間があり、したがって、熱風供給口３０からは支障なく熱風が筺体３内に導入されて通気孔２４…からドラム４内に入り込み、この熱風により布団類Ａの水分が蒸発して布団類Ａが乾燥する。
なお、蒸発した水分は送風機５０による強制排気により屋外に排出される。
【００３９】
乾燥工程の間はドラム４を連続して回転してもよいが、間欠的に回転することにより布団類Ａのドラム４に対する位置を変えることが望ましい。即ち、ドラム４の回転を瞬時停止すると、上昇していた布団類Ａが自重によって落下し、これによりドラム４に対する布団類Ａの位置が変り、したがって乾燥ムラをなくして均一な乾燥を比較的短時間で効率良く行うことができる。
【００４０】
上記した乾燥工程は、電気的制御装置のタイマに設定した所定時間（本実施形態では７分間）継続され、この所定時間が経過すると終了し、次の復元工程に移行する。
【００４１】
復元工程では、送風機５０の作動は乾燥工程と同様であり、スチーム工程における強制排気量よりも多い排気量に設定してある。また、この復元工程ではドラム４の回転を乾燥工程における回転数よりも低く設定して、布団類Ａに働く遠心力が布団類Ａの自重よりも小となる速度でドラムが回転する。したがって、ドラム４の回転に伴って上昇した布団類Ａが自重によって途中から落下し、この落下による衝撃力で布団類Ａを叩き、この叩き動作により綿等が押し潰れた状態からフカフカした嵩高状態に復元することができる。なお、本実施形態ではドラム４を毎分３６回転（０．７９Ｇ）に設定している。
【００４２】
また、この復元工程におけるドラム４の回転は正回転を継続してもよいが、所定時間間隔で正回転と逆回転を交互に繰り返し行ってもよい。この様な正逆回転を繰り返し行うと、叩き動作を満遍なく行うことができるので、嵩高状態に回復する部分の均一化を図ることができる。
【００４３】
この復元工程を行っている間、送風機５０は継続して作動するので、ヒーター３４からの熱風が筺体３内に導入され、これにより布団類Ａの加熱乾燥が継続して行われることになる。そして、布団類Ａから出た汚れや塵埃は、送風機５０による強制排気により排除され、フィルタ５２に回収される。
【００４４】
上記した復元工程は、電気的制御装置のタイマに設定した所定時間（本実施形態では１０分間）継続され、この所定時間が経過すると終了し、初期状態に戻る。即ち、ドラム４の回転が停止し、送風機５０の作動が停止する。そして、ドラム４の回転が停止すると、電気的制御装置からの制御により扉閉止用エアシリンダ１５の押圧動作が停止し、これにより扉２がコイルスプリング１３の付勢により後退し、引き続き昇降用エアシリンダ１６が作動して扉２を上昇させる。したがって、筺体３の投入口６が開放され、使用者は、再生された布団類Ａをドラム４内から取り出すことができる。
【００４５】
この様に、本実施形態における再生装置１では乾燥工程においても、また復元工程においても蒸気噴出釜５の上面に開口した熱風供給口３０から筺体３内に熱風を導入し続け、この熱風の導入により蒸気噴出釜５は、この間加熱状態を維持する。したがって、次回のスチーム工程で蒸気が供給された際にも加熱状態なので蒸気が急激に冷却されることを防止でき、これにより蒸気噴出釜５内のドレンの発生を抑制することができる。
そして、万一、蒸気噴出釜５の蒸気室３５内にドレンが発生したならば、ドレン管４２を介して装置１の背後から外部に排出することができる。また、万一、蒸気噴出釜５の左右突出部分の下面にドレンが発生した場合には、仕切り板４３で受けてドレン受部４６に集合させてから装置１の背後から外部に排出することができ、筺体３内に溜らない。
【００４６】
この様に、蒸気噴出釜５の温度を高く維持できると、次回のスチーム工程で蒸気噴出釜５内に蒸気が入った際に、溜っていたドレンによって布団類を不用意に濡らすことを防止することができるし、溜っていたドレンの蒸発により熱が奪われて温度低下を来すことも防止することができる。
【００４７】
なお、前記した実施形態では乾燥工程と復元工程を別個の工程としたが、乾燥工程と復元工程とを同時に行ってもよい。即ち、蒸気噴出釜５を下降してドラム４から離隔し、この状態で、布団類に働く遠心力が布団類の自重よりも小となる速度でドラムを回転して、上昇した布団類を自重で落下させて布団類に叩き動作を与えながらドラム内に熱風を供給して布団類を乾燥しながら復元してもよい。
【００４８】
【発明の効果】
以上説明したように本発明によれば、以下の効果を奏する。
請求項１および請求項５に記載の発明では、ドラムの回転を停止した状態で、ドラムの下方に設けた蒸気噴出釜を上昇させてその上部をドラムの外周面に当接し、蒸気噴出釜の上部に設けられた蒸気噴出口から蒸気を噴出してドラム内の布団類を蒸すので、蒸気噴出釜から供給される蒸気の殆どを布団類に当てることができる。したがって、供給した蒸気の有効利用率を著しく高めることができる。
【００４９】
請求項２の発明では、遠心力により布団類をドラム内に張り付けた状態で回転させて乾燥するので、ムラなく乾燥させることができるとともに、布団類内の水分の蒸発が促進されるので、乾燥効率を高めることができる。
【００５０】
請求項３の発明では、布団類を蒸す間における筺体内からの強制排気量を、熱風を筺体内に供給する間における筺体内からの強制排気量よりも少なくしたので、ドラム内には過不足のない適量の蒸気が充満して、布団類を能率良く蒸すことができる。
【００５１】
請求項４の発明では、熱風を筺体内に供給する間におけるドラムの回転を間欠回転として、布団類のドラムに対する位置を変えるようにしたので、乾燥や復元を布団類の全体に亘ってムラなく均一に処理することができる。
【００５２】
請求項６の発明では、ドラムの外周面の曲率に対応した曲率で蒸気噴出釜の上部の面を凹曲面としたので、ドラムと蒸気噴出釜との間の隙間の均一化を図ることができる。このため、蒸気噴出口から噴出した蒸気がドラム内に入り易くなり、蒸気の有効利用率を一層高めることができる。
【００５３】
請求項７の発明では、蒸気噴出口群を取り囲む状態で蒸気噴出釜の上部にパッキン材を設け、蒸気噴出口から噴出した蒸気がドラム内に直接供給されるようにしたので、噴出した蒸気がドラムの外部に逃げ難くなり、噴出蒸気の有効利用率をより一層高めることができる。
【００５４】
請求項８の発明では、蒸気噴出釜の上部に熱風噴出口を開口し、この熱風噴出口から噴出される熱風により蒸気噴出釜を加熱するので、蒸気噴出釜が冷やされ難くなる。したがって、次回のスチーム工程で蒸気が供給された際にも蒸気噴出釜がすでに加熱状態なので、蒸気が急激に冷却されることを防止でき、これにより蒸気噴出釜内のドレンの発生を抑制することができる。
【００５５】
請求項９の発明では、蒸気噴出釜の下方に仕切り板を設けるとともに、この仕切り板を傾斜させて、傾斜下端にドレン受部を設け、該ドレン受部にドレンを集合させて排出するようにしたので、蒸気噴出釜の表面にドレンが発生しても、このドレンは溜ることなく排出される。したがって、ドレンが不用意に飛散して布団類を濡らしたり、或は装置内部が錆びるなどドレンに起因する不都合を解消することができる。
【００５６】
請求項１０の発明では、筺体の処理室に殺菌灯を設け、この殺菌灯による紫外線照射により布団類を滅菌するので、一層清潔にすることができ、衛生面での向上を期待できる。
【図面の簡単な説明】
【図１】布団類の再生装置の斜視図である。
【図２】扉を上昇させた状態における再生装置の正面図である。
【図３】再生装置の前後方向の断面図である。
【図４】再生装置の幅方向の断面図である。
【図５】扉の前後移動機構部分の断面図である。
【図６】一部を別途拡大して示した蒸気噴出釜の断面図である。
【図７】蒸気噴出釜の平面図である。
【図８】蒸気噴出釜内に蒸気を供給する部分の拡大断面図である。
【図９】仕切り板の正面図である。
【図１０】仕切り板の側面図である
【符号の説明】
１  布団類の再生装置
２  扉
３  筺体
４  ドラム
５  蒸気噴出釜
６  投入口
７  窓
９  支持部材
１０  スライドレール
１１  スライドレールブラケット
１２  ボルト
１３  コイルスプリング
１４  ブラケット
１５  扉閉止用エアシリンダ
１６  昇降用エアシリンダ
１７  カバー
１８  パッキン材
１９  当接部
２１  端板
２２  開口部
２３  支軸
２４  通気孔
２５  軸受
２６，２８  プーリー
２７  モータ
３０  熱風供給口
３１  蒸気噴出口
３２  蒸気釜受け部材
３３  エアシリンダ
３４  ヒーター
３５  蒸気室
３６  蒸気用配管
４０  バッフル
４１  ドレン口
４２  ドレン管
４３  仕切り板
４４  処理室
４５  空部
４６  ドレン受部
４７  開口部
５０  送風機
５１  吸引側通気路
５２  リントフィルタ
５３  排気側口
５４  天井
５５  排気口
５６  入口
６０  制御ボックス
６１  コイン投入口
６２  スタートスイッチ
６３  モード切換スイッチ
６４  非常停止スイッチ
６５  工程表示器
６６  殺菌灯
Ａ    布団類
【図１】
0003907770.tif 000002
【図２】
0003907770.tif 000003
【図３】
0003907770.tif 000004
【図４】
0003907770.tif 000005
【図５】
0003907770.tif 000006
【図６】
0003907770.tif 000007
【図７】
0003907770.tif 000008
【図８】
0003907770.tif 000009
【図９】
0003907770.tif 000010
【図１０】
0003907770.tif 000011